【手続補正書】
【提出日】平成26年8月22日(2014.8.22)
【手続補正１】
【補正対象書類名】特許請求の範囲
【補正対象項目名】全文
【補正方法】変更
【補正の内容】
【特許請求の範囲】
【請求項１】
船舶であって、
主甲板と、
前記主甲板の上方に配置される１つ以上の容器セルガイドと、
１つ以上のＩＳＯインターモーダルＬＮＧタンクであって、前記インターモーダルＬＮＧタンクの１つ以上の段積みレベルを形成するように前記容器セルガイドに配置されるインターモーダルＬＮＧタンクと、
液体移送系であって、前記インターモーダルＬＮＧタンクの各段積みレベルのための液体移送系ヘッダ部を含み、前記インターモーダルＬＮＧタンクの１つの段積みレベルにおける前記インターモーダルＬＮＧタンクの各々が、前記インターモーダルＬＮＧタンクへ及び前記インターモーダルＬＮＧタンクからＬＮＧを移送するように、前記インターモーダルＬＮＧタンクの当該段積みレベルのための前記液体移送系ヘッダ部に個々に接続される、液体移送系と、
蒸気系であって、前記インターモーダルＬＮＧタンクの各段積みレベルのための蒸気系ヘッダ部を含み、前記インターモーダルＬＮＧタンクの１つの段積みレベルにおける前記インターモーダルＬＮＧタンクの各々が、前記インターモーダルＬＮＧタンクからボイルオフガスを移送するように、前記インターモーダルＬＮＧタンクの当該段積みレベルのための前記蒸気系ヘッダ部に個々に接続される、蒸気系と、
前記インターモーダルＬＮＧタンクの各々における蒸気圧力を所望のレベルで維持するように、前記蒸気系ヘッダ部に接続されるボイルオフガス制御系と
を備える、船舶。
【請求項２】
ＬＮＧは、一括方式であるかのように、前記１つ以上のＩＳＯインターモーダルＬＮＧタンクに及び前記１つ以上のＩＳＯインターモーダルＬＮＧタンクから移送されることができる請求項１に記載の船舶。
【請求項３】
通気系をさらに備え、
前記通気系は、前記インターモーダルＬＮＧタンクの各段積みレベルのための通気系ヘッダ部を含み、
前記インターモーダルＬＮＧタンクの各々は、前記１つ以上のインターモーダルＬＮＧタンクのいずれからもＬＮＧ蒸気を放出するように、前記インターモーダルＬＮＧタンクの当該段積みレベルのための前記通気系ヘッダ部に個々に接続される請求項１に記載の船舶。
【請求項４】
前記１つ以上のインターモーダルＬＮＧタンクからのボイルオフガスが前記ボイルオフガス制御系に供給される請求項１に記載の船舶。
【請求項５】
ボイルオフガスを消費するエンジンをさらに備える請求項４に記載の船舶。
【請求項６】
前記ボイルオフガスを消費するガス燃焼器ユニットをさらに備える請求項４に記載の船舶。
【請求項７】
前記ボイルオフガスは大気へ放出される請求項４に記載の船舶。
【請求項８】
前記ボイルオフガス制御系は、前記ボイルオフガスを再液化する請求項１に記載の船舶。
【請求項９】
前記再液化されたボイルオフガスは、前記液体移送系ヘッダ部によって前記１つ以上のインターモーダルＬＮＧタンクに戻される請求項８に記載の船舶。
【請求項１０】
前記液体移送系ヘッダ部に連結され、ＬＮＧを前記船舶に積むための少なくとも１つのマニフォールドをさらに備える請求項１に記載の船舶。
【請求項１１】
前記液体移送系ヘッダ部に連結され、ＬＮＧを前記船舶から降ろすための少なくとも１つのマニフォールドをさらに備える請求項１に記載の船舶。
【請求項１２】
ＬＮＧの大量貯蔵用の少なくとも１つのタンクをさらに備える請求項１に記載の船舶。
【請求項１３】
ＬＮＧの大量貯蔵用の前記少なくとも１つのタンクは、前記液体移送系ヘッダ部によって前記１つ以上のインターモーダルＬＮＧタンクに接続される請求項１２に記載の船舶。
【請求項１４】
ＬＮＧは、大量貯蔵用の前記少なくとも１つのタンクから、前記インターモーダルＬＮＧタンクのうちの少なくとも１つに移送される請求項１３に記載の船舶。
【請求項１５】
大量貯蔵用の前記少なくとも１つのタンクは、前記船舶の前記主甲板の上方に配置される請求項１２に記載の船舶。
【請求項１６】
大量貯蔵用の前記少なくとも１つのタンクは、前記船舶の前記主甲板の下方に配置される請求項１２に記載の船舶。
【請求項１７】
前記主甲板の上方で固定される支持構造部をさらに備える請求項１に記載の船舶。
【請求項１８】
前記容器セルガイドは、前記支持構造部上に配置される請求項１７に記載の船舶。
【請求項１９】
前記液体移送系は、前記インターモーダルＬＮＧタンクを選択的にグループ分けするように構成された複数の制御弁を備える請求項１に記載の船舶。
【請求項２０】
ＬＮＧをインターモーダルに輸送するための方法であって、
船舶の主甲板上に複数のインターモーダルＬＮＧタンクを供給するステップと、
前記複数のインターモーダルＬＮＧタンクを配管系に相互接続するステップと、
大量のＬＮＧを積み降ろしするように装備が整えられた第１の海上基地に前記船舶を係留するステップと、
一括方式であるかのように、前記第１の海上基地で前記ＬＮＧタンクにＬＮＧを充填するステップと、
前記インターモーダルＬＮＧタンク内に発生するボイルオフガスに起因する前記複数のインターモーダルＬＮＧタンク内の圧力の上昇を管理するステップと、
第２の海上基地に前記船舶を係留するステップと
を含み、
前記第２の海上基地は、１つ以上の個別のインターモーダルＬＮＧタンクを前記船舶から持ち上げて降ろし、且つ前記１つ以上の個別のインターモーダルＬＮＧタンクをインターモーダル輸送システムの構成要素に移すように又は前記インターモーダルＬＮＧタンクに含まれるＬＮＧを大量に降ろすように、装備が整えられている、方法。
【請求項２１】
前記相互接続するステップは、前記複数のインターモーダルＬＮＧタンクを前記配管系に取り外し可能に固定するステップを含む請求項２０に記載の方法。
【請求項２２】
前記相互接続するステップは、道具を用いることなく前記複数のインターモーダルＬＮＧタンクの迅速な接続及び接続解除を可能にするように、前記複数のインターモーダルＬＮＧタンクを相互接続するステップを含む請求項２０に記載の方法。
【請求項２３】
前記複数のインターモーダルＬＮＧタンクのうちの少なくとも１つを前記配管系から取り外すステップと、
前記少なくとも１つのインターモーダルＬＮＧタンクを持ち上げるステップと、
前記少なくとも１つのインターモーダルＬＮＧタンクを前記インターモーダル輸送システムの前記構成要素に移すステップと
をさらに含む請求項２０に記載の方法。
【請求項２４】
前記インターモーダル輸送システムの前記構成要素は、船舶を含む請求項２３に記載の方法。
【請求項２５】
前記インターモーダル輸送システムの前記構成要素は、トラックを含む請求項２３に記載の方法。
【請求項２６】
前記インターモーダル輸送システムの前記構成要素は、鉄道車両を含む請求項２３に記載の方法。
【請求項２７】
少なくとも１つの空のインターモーダルＬＮＧタンクを前記船舶に積むステップと、
前記少なくとも１つの空のインターモーダルＬＮＧタンクを前記配管系に取り外し可能に接続するステップと
をさらに含む請求項２０に記載の方法。
【請求項２８】
一括方式であるかのように、ＬＮＧを前記複数のインターモーダルＬＮＧタンクから放出するステップをさらに含む請求項２０に記載の方法。
【請求項２９】
前記第２の海上基地は、１つ以上の個別のインターモーダルＬＮＧタンクを前記船舶から持ち上げて降ろし且つ前記１つ以上の個別のインターモーダルＬＮＧタンクをインターモーダル輸送システムの構成要素に移すように、クレーンを装備している請求項２０に記載の方法。
【請求項３０】
前記第２の海上基地は、前記インターモーダルＬＮＧタンクに含まれるＬＮＧを大量に降ろすように、ホースを装備している請求項２０に記載の方法。
【請求項３１】
前記第２の海上基地は、前記インターモーダルＬＮＧタンクに含まれるＬＮＧを大量に降ろすように、硬質アームを装備している請求項２０に記載の方法。
【請求項３２】
前記硬質アームは、関節連結式の硬質アームを含む請求項３１に記載の方法。
【請求項３３】
大量の液体をインターモーダルに輸送するための方法であって、
船舶の主甲板上に複数のＩＳＯインターモーダルタンクを供給するステップと、
前記複数のインターモーダルタンクを配管系に相互接続するステップと、
大量のＬＮＧを積み降ろしするように装備が整えられた第１の海上基地に前記船舶を係留するステップと、
一括方式であるかのように、前記第１の海上基地で前記複数のＩＳＯインターモーダルタンクにＬＮＧを充填するステップと、
第２の海上基地に前記船舶を係留するステップと
を含み、
前記第２の海上基地は、１つ以上の個別のＩＳＯインターモーダルタンクを前記船舶から持ち上げ、且つ前記１つ以上の個別のＩＳＯインターモーダルタンクをインターモーダル輸送システムの構成要素に移すように又は前記ＩＳＯインターモーダルタンクに含まれるＬＮＧを大量に降ろすように、装備が整えられている、方法。
【請求項３４】
前記相互接続するステップは、前記複数のインターモーダルタンクを前記配管系に取り外し可能に固定するステップを含む請求項３３に記載の方法。
【請求項３５】
前記相互接続するステップは、道具を用いることなく前記インターモーダルタンクの迅速な接続及び接続解除を可能にするように、前記複数のインターモーダルタンクを相互接続するステップを含む請求項３３に記載の方法。
【請求項３６】
前記複数のインターモーダルタンクのうちの少なくとも１つを前記配管系から取り外すステップと、
前記少なくとも１つのインターモーダルタンクを持ち上げるステップと、
前記少なくとも１つのインターモーダルタンクを前記インターモーダル輸送システムの前記構成要素に移すステップと
をさらに含む請求項３３に記載の方法。
【請求項３７】
前記インターモーダル輸送システムの前記構成要素は、船舶を含む請求項３６に記載の方法。
【請求項３８】
前記インターモーダル輸送システムの前記構成要素は、トラックを含む請求項３６に記載の方法。
【請求項３９】
前記インターモーダル輸送システムの前記構成要素は、鉄道車両を含む請求項３６に記載の方法。
【請求項４０】
少なくとも１つの空のインターモーダルタンクを前記船舶に積むステップと、
前記少なくとも１つの空のインターモーダルタンクを前記配管系に取り外し可能に接続するステップと
をさらに含む請求項３３に記載の方法。
【請求項４１】
一括方式であるかのように、大量の液体を前記インターモーダルタンクから海上基地に放出するステップをさらに含む請求項３３に記載の方法。
【請求項４２】
前記第２の海上基地は、１つ以上の個別のインターモーダルタンクを前記船舶から持ち上げて降ろし且つ前記１つ以上の個別のインターモーダルタンクをインターモーダル輸送システムの構成要素に移すように、クレーンを装備している請求項３３に記載の方法。
【請求項４３】
前記第２の海上基地は、前記インターモーダルタンクに含まれる液体を大量に降ろすように、ホースを装備している請求項３３に記載の方法。
【請求項４４】
前記第２の海上基地は、前記インターモーダルタンクに含まれる液体を大量に降ろすように、硬質アームを装備している請求項３３に記載の方法。
【請求項４５】
前記硬質アームは、関節連結式の硬質アームを含む請求項４４に記載の方法。
【請求項４６】
船舶であって、
主甲板と、
前記主甲板に固定される１つ以上の容器セルガイドと、
１つ以上のＩＳＯインターモーダルタンクであって、前記インターモーダルタンクの１つ以上の段積みレベルを形成するように前記容器セルガイドに配置されるインターモーダルタンクと、
液体移送系であって、前記インターモーダルタンクの各段積みレベルのための液体移送系ヘッダ部を含み、前記インターモーダルタンクの１つの段積みレベルにおける前記インターモーダルタンクの各々が、前記インターモーダルタンクの当該段積みレベルのための前記液体移送系ヘッダ部に個々に接続される、液体移送系と
を備え、
前記複数のインターモーダルタンクは、第１の施設で大量の液体が充填されることができ、且つ第２の施設で個々に前記船舶から持ち上げられて降ろされることができる、船舶。
【請求項４７】
前記複数のインターモーダルタンクは、一括方式であるかのように荷下ろしされることができる請求項４６に記載の船舶。
【請求項４８】
大量の液体の大量貯蔵用の少なくとも１つのタンクをさらに備える請求項４６に記載の船舶。
【請求項４９】
大量の液体の大量貯蔵用の前記１つ以上タンクは、前記インターモーダルタンクの各段積みレベルのための前記液体移送系ヘッダ部によって前記複数のインターモーダルタンクに接続される請求項４８に記載の船舶。
【請求項５０】
大量の液体は、大量貯蔵用の前記少なくとも１つのタンクから、前記複数のインターモーダルタンクのうちの少なくとも１つに移送される請求項４９に記載の船舶。
【請求項５１】
大量貯蔵用の前記少なくとも１つのタンクは、前記船舶の前記主甲板の上方に配置される請求項４８に記載の船舶。
【請求項５２】
大量貯蔵用の前記少なくとも１つのタンクは、前記船舶の前記主甲板の下方に配置される請求項４８に記載の船舶。
【請求項５３】
前記主甲板の上方で固定される支持構造部をさらに備える請求項４６に記載の船舶。
【請求項５４】
前記容器セルガイドは、前記支持構造部上に配置される請求項５３に記載の船舶。
【請求項５５】
前記液体移送系は、前記インターモーダルタンクを選択的にグループ分けするように構成された複数の制御弁を備える請求項４６に記載の船舶。